(57)【要約】【課題】歩行補助装置に関連する装具をできる限り共有化したい。また、歩行補助装置の利用開始時における煩雑な作業をできる限り省きたい。【解決手段】ユーザの脚部の動きを補助する歩行補助装置の足底プレートに固定される、ユーザが履くカップソールであって、ユーザの足を載置する本体部と、本体部に固定され、足底プレートに設けられた基準指標に対してユーザごとに異なる取り付け位置を確定させるための指標部材とを備え、指標部材は本体部に対して着脱可能であるカップソールを提供する。【選択図】図２
2018175241.tif 000002
【特許請求の範囲】
【請求項１】
ユーザの脚部の動きを補助する歩行補助装置の足底プレートに固定される、前記ユーザが履くカップソールであって、
前記ユーザの足を載置する本体部と、
前記本体部に固定され、前記足底プレートに設けられた基準指標に対して前記ユーザごとに異なる取り付け位置を確定させるための指標部材と
を備え、
前記指標部材は、前記本体部に対して着脱可能であるカップソール。
【請求項２】
前記指標部材は、使用時において前記基準指標に重ねられ、前記基準指標に対して前記ユーザの個人指標を標示することができる透光部材である請求項１に記載のカップソール。
【請求項３】
前記指標部材は、前記本体部に対して装着するための装着部を２つ以上備え、
前記本体部は、前記装着部のそれぞれに対応する被装着部を備え、
前記装着部と前記被装着部は、互いに対応付けられた組み合わせ以外の組み合わせによって前記指標部材が前記本体部に装着できないように配置されている請求項１または２に記載のカップソール。
【請求項４】
前記装着部は、前記指標部材の指標面から伸延する腕部を含み、
前記被装着部は、前記腕部を貫通させる孔部を含む
請求項３に記載のカップソール。
【請求項５】
前記腕部は、前記孔部を貫通する貫通部と、前記孔部を貫通した後に前記本体部の表面に沿う延長部とを含む請求項４に記載のカップソール。
【請求項６】
前記本体部は、前記指標部材の指標面に対応する位置に、前記指標面よりも小さい窓部が設けられた請求項１から５のいずれか１項に記載のカップソール。
【請求項７】
前記指標部材は、前記本体部の土踏まずに対応する部位に設けられた請求項１から６のいずれか１項に記載のカップソール。
【請求項８】
前記指標部材の指標面は、前記本体部のうち前記ユーザの足が載置される内面とは反対の外面に沿うように設けられる請求項１から７のいずれか１項に記載のカップソール。
【請求項９】
前記指標部材は、前記本体部の外周部に設けられた請求項１または２に記載のカップソール。
【請求項１０】
請求項１から９のいずれか１項に記載のカップソールを固定する足底プレートを備え、
前記足底プレートは、前記指標部材が重ね合わされる基準指標を有する、
前記ユーザの脚部の動きを補助する歩行補助装置。
【請求項１１】
ユーザの脚部に装着して前記ユーザの脚部の動きを補助する歩行補助装置の足底プレートに固定される、前記ユーザが履くカップソールの前記ユーザの足を載置する本体部に、前記足底プレートに設けられた基準指標に対して前記ユーザごとに異なる前記カップソールの取り付け位置を確定させるために着脱可能に装着される指標部材。
【請求項１２】
ユーザが履く、前記ユーザごとに取り付け位置が異なるカップソールを、前記ユーザの脚部の動きを補助する歩行補助装置に取り付けるカップソール取り付け方法であって、
前記歩行補助装置の足底プレートに設けられた基準指標に対して、透光部材から成る指標部材を装着した前記カップソールを位置調整して、前記基準指標に一致させる個人指標を前記透光部材上に設ける標示形成ステップと、
前記ユーザが前記歩行補助装置を利用する段階において、
前記透光部材を前記カップソールに装着する装着ステップと、
前記装着ステップで前記透光部材が装着された前記カップソールを、前記表示形成ステップで設けられた前記個人指標を前記基準指標に一致させることにより取り付け位置を確定させて、前記足裏プレートに取り付ける取付ステップと
を有するカップソール取り付け方法。
【発明の詳細な説明】
【技術分野】
【０００１】
本発明は、カップソール、歩行補助装置、指標部材およびカップソール取り付け方法に関する。
【背景技術】
【０００２】
ユーザの脚部に装着されてユーザの歩行を補助するための歩行補助装置が知られている。例えば特許文献１の歩行補助装置は、ユーザの下腿部に装着される下腿フレームとユーザが足裏を載置する載置部とを回動可能に連結している。
【先行技術文献】
【特許文献】
【０００３】
【特許文献１】特開２０１４−１８８０３７号公報
【発明の概要】
【発明が解決しようとする課題】
【０００４】
ユーザの足を歩行補助装置の載置部上で固定するために、シューズ形状のカップソールを用いることがある。歩行補助装置は複数のユーザで共有されることがあり、これから歩行補助装置を利用しようとするユーザは、その都度、載置部上でのカップソールの最適な位置を調整する必要がある。ユーザがそれぞれ専用のカップソールを所有し、自身のカップソールに最適な位置の情報を記録することも考えられるが、費用負担が嵩むという問題が生じる。すなわち、さまざまな装具をできる限り共有化したいという要請と、歩行補助装置の利用開始時に煩雑な作業を省きたいという要請を両立させることが困難であった。
【０００５】
本発明は、このような問題を解決するためになされたものであり、装具をできる限り共有化しつつも、歩行補助装置の利用開始時に煩雑な作業を要しないカップソール等を提供するものである。
【課題を解決するための手段】
【０００６】
本発明の第１の態様におけるカップソールは、ユーザの脚部の動きを補助する歩行補助装置の足底プレートに固定される、ユーザが履くカップソールであって、ユーザの足を載置する本体部と、本体部に固定され、足底プレートに設けられた基準指標に対してユーザごとに異なる取り付け位置を確定させるための指標部材とを備え、指標部材は、本体部に対して着脱可能である。
【０００７】
このように指標部材をカップソールの本体部に対して着脱可能にすれば、指標部材のみを個人専有物とすることができ、カップソールを共同利用に供することができる。また、指標部材に足底プレートの基準指標に対するカップソールの位置情報を記録することができるので、二度目の利用からは指標部材を本体部に装着して簡単な調整を行うだけで歩行補助装置の利用を開始できる。
【０００８】
上記のカップソールにおいて、指標部材は、使用時において基準指標に重ねられ、基準指標に対してユーザの個人指標を標示することができる透光部材であっても良い。透光部材を利用すれば、基準指標を視認しながら例えばペンでマーキングすることができるので、ユーザごとの位置情報を容易に記録することができる。
【０００９】
この場合、指標部材は、本体部に対して装着するための装着部を２つ以上備え、本体部は、装着部のそれぞれに対応する被装着部を備え、装着部と被装着部は、互いに対応付けられた組み合わせ以外の組み合わせによって指標部材が本体部に装着できないように配置されていると良い。このように装着部と被装着部が回転非対称な位置関係で設けられていれば、指標部材を本体部に誤った向きで装着することがない。
【００１０】
具体的には、装着部は、指標部材の指標面から伸延する腕部を含み、被装着部は、腕部を貫通させる孔部を含むと良い。このような構成であれば、指標部材を単純な形状にすることができるので、容易に製作できる。このとき、腕部は、孔部を貫通する貫通部と、孔部を貫通した後に本体部の表面に沿う延長部とを含むようにすると良い。このような延長部を設けることにより、指標部材を本体部に安定的に装着できる。
【００１１】
また、本体部は、指標部材の指標面に対応する位置に、指標面よりも小さい窓部が設けられていると良い。このような構成の窓部であれば、ユーザは、窓部から基準指標を視認できると共に、窓部の周辺部で支えられた指標面に対してマーキング等の位置情報の記録を行いやすい。
【００１２】
また、指標部材は、本体部の土踏まずに対応する部位に設けられると良い。土踏まずの位置に指標部材が存在すれば、歩行補助装置の利用時における違和感を軽減できる。同様に、指標部材の指標面が、本体部のうちユーザの足が載置される内面とは反対の外面に沿うように設けられるように構成しても良い。このような構成であっても、違和感を軽減できる。さらに、指標部材は、本体部の外周部に設けられても良い。本体部の外周部であれば、指標部材はユーザの足に触れることがないので、ユーザは違和感を覚えることがない。
【００１３】
本発明の第２の態様における歩行補助装置は、上記のカップソールを固定する足底プレートを備え、足底プレートは指標部材が重ね合わされる基準指標を有し、ユーザの脚部の動きを補助するものである。上記のカップソールを利用できる歩行補助装置においても、同様の効果を享受できる。
【００１４】
本発明の第３の態様における指標部材は、ユーザの脚部に装着してユーザの脚部の動きを補助する歩行補助装置の足底プレートに固定される、ユーザが履くカップソールのユーザの足を載置する本体部に、足底プレートに設けられた基準指標に対してユーザごとに異なるカップソールの取り付け位置を確定させるために着脱可能に装着される。このような指標部材の提供があれば、装着されるカップソールの本体部と共に利用されることにより、上記の効果を享受できる。
【００１５】
本発明の第４の態様におけるカップソール取り付け方法は、ユーザが履く、ユーザごとに取り付け位置が異なるカップソールを、ユーザの脚部の動きを補助する歩行補助装置に取り付けるカップソール取り付け方法であって、歩行補助装置の足底プレートに設けられた基準指標に対して、透光部材から成る指標部材を装着したカップソールを位置調整して、基準指標に一致させる個人指標を透光部材上に設ける標示形成ステップと、ユーザが歩行補助装置を利用する段階において、透光部材をカップソールに装着する装着ステップと、装着ステップで透光部材が装着されたカップソールを、表示形成ステップで設けられた個人指標を基準指標に一致させることにより取り付け位置を確定させて、足裏プレートに取り付ける取付ステップとを有する。
【００１６】
このようなカップソールの取付方法によれば、指標部材のみを個人専有物とすることができ、カップソールを共同利用に供することができる。また、二度目の利用からは指標部材を本体部に装着して簡単な調整を行うだけで歩行補助装置の利用を開始できる。
【発明の効果】
【００１７】
本発明により、装具をできる限り共有化しつつも、歩行補助装置の利用開始時に煩雑な作業を要しないカップソール等を提供することができる。  
【図面の簡単な説明】
【００１８】
【図１】本実施形態にかかるカップソールと歩行補助装置を説明する図である。
【図２】カップソールの構成を説明する図である。
【図３】指標部材に対するマーキング作業を説明する図である。
【図４】マーキング後の指標部材を説明する図である。
【図５】二回目以降の調整作業を説明する図である。
【図６】他の実施例を説明する図である。
【図７】更に他の実施例を説明する図である。
【図８】他の実施例におけるマーキング作業を説明する図である。
【発明を実施するための形態】
【００１９】
以下、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００２０】
図１は、本実施形態にかかるカップソール５００と歩行補助装置１００を説明する図である。歩行補助装置１００は、片麻痺などの障害を持つ障害者や脚力が衰えた高齢者であるユーザの歩行を補助する装置である。歩行補助の一つとして、例えば、歩行補助装置１００を装着する装着者の足関節９０３の可動範囲を規制する。歩行補助装置１００は、主に、下腿９０１をサポートする下腿フレーム１１０と、踝から先の足９０２をサポートする足裏フレーム２００と、足関節９０３の可動方向に沿って規制された揺動範囲で揺動可能なようにこの２つのフレームを支持する関節機構３１０とによって構成される。
【００２１】
足裏フレーム２００は、カップソール５００を載置する載置面を有する足底プレートとしての底板２１０と、底板２１０の側方に立設された側板２２０とを有する。より具体的には、関節機構３１０は、下腿フレーム１１０の下端と外側の側板２２０とを、揺動可能に連結している。関節機構３１０は、足関節９０３が身体的に本来曲げられる範囲よりも狭い範囲で揺動する構造を有する。
【００２２】
歩行補助装置１００は、さらに、下腿９０１を挟んで下腿フレーム１１０と反対側に下腿フレーム１２０を備える。すなわち、下腿フレーム１１０、１２０は、下腿９０１を挟むように装着されて、下腿９０１をサポートしている。なお、下腿フレーム１１０、１２０の下腿９０１への装着は、不図示の装着ベルト等を介して実現される。
【００２３】
歩行補助装置１００は、下腿フレーム１２０と内側の側板２２０を、揺動自在に連結する関節機構３２０を備える。関節機構３２０は、関節機構３１０のような揺動を規制する構造を有さない。すなわち、足関節９０３の可動範囲は、内側に配設された関節機構３２０によっては規制されず、外側に配設された関節機構３１０によって規制される。
【００２４】
なお、図１は、患脚が右脚であることを想定しており、関節機構３１０が右脚の外側に配置される様子を示している。本実施形態においては、歩行補助装置１００は右脚用であり、これに用いるカップソール５００も右足用として説明するが、もちろん、左脚用の歩行訓練装置を製作することも可能であり、同様に、これに用いる左脚用のカップソールを製作することも可能である。
【００２５】
カップソール５００は、足９０２を収めるシューズ形状を成す。主要な部分は、例えば樹脂によって成形される。裏面側には面ファスナ５０９が貼着されており、底板２１０の表面に貼着された面ファスナ２１２と重ね合わされることにより、カップソール５００は、足裏フレーム２００に固定される。なお、カップソール５００を足裏フレーム２００へ固定する方法は、面ファスナに限らず他の方法であっても構わない。例えば、カップソール５００の四隅を、底板２１０から伸延する長さ調整が可能な装着ベルトで固定しても良い。
【００２６】
底板２１０の表面には、面ファスナ２１２の他に、基準指標２１１が設けられている。基準指標２１１は、底板２１０と一体的に成形された凹凸であっても良いし、底板２１０の表面に印刷やシールの貼着によって設けられても良い。また、基準指標２１１は、底板２１０に対する方向が認識できる模様であれば良い。本実施例においては、図示するように、つま先方向に頂角を向けた三角形を採用する。
【００２７】
本実施形態における歩行補助装置１００は、一人のユーザが専用するものではなく、複数のユーザが交代して利用する共同利用を想定している。したがって、歩行補助装置１００を利用したいユーザは、利用開始時に、底板２１０上でカップソール５００を履いた足の位置を最適な位置に調整する作業を行う。具体的には、下腿９０１が関節機構３１０、３２０と擦れ合わないように左右方向の位置を調整したり、足関節９０３の関節軸と関節機構３１０、３２０の回転軸とができるだけ一致するように前後の位置を調整したり、ユーザの内股／外股といった癖に合わせて回転方向の位置を調整したりする。このような調整作業を介して、ユーザ個々に対してカップソール５００の最適な位置が決定される。
【００２８】
しかし、このような調整作業は煩雑であり、ユーザは、歩行補助装置１００を利用し始めるまでに多くの時間を要してしまう。利用のたびにこのような調整作業が必要となると、歩行補助装置１００の利用頻度を下げる要因となってしまう。一方で、同じ足のサイズのユーザ間であれば、カップソール５００も共同利用に供したいという要請がある。カップソール５００を共同利用する場合には、ユーザ個々の記録を直接的にカップソール５００に残すことは避けたい。
【００２９】
このような課題を解決する本実施形態に係るカップソール５００を詳細に説明する。図２は、カップソール５００の構成を説明する図である。本実施形態に係るカップソール５００は、主に本体部５０１と指標部材５１０によって構成される。
【００３０】
本体部５０１は、足９０２を載置し収納するための、シューズ形状のパーツである。本体部５０１のうち、ユーザが足９０２を載置したときの土踏まずに対応する部位には、窓フレーム５０３が埋め込まれている。窓フレーム５０３は、例えばアルミニウムで形成された円板形状を成し、その中心部には本体部５０１を貫通する窓孔５０３ａが設けられている。
【００３１】
指標部材５１０は、ユーザ個々に用意される、本体部５０１に対して着脱可能な部材である。指標部材５１０は、底板２１０に設けられた基準指標２１１に対してユーザごとに異なる取り付け位置を確定させるために用いられる。例えば、一つの本体部５０１を１０人で共用する場合は、指標部材５１０は、１０個用意される。
【００３２】
指標部材５１０は、例えば透明なプラスチック板によって成形される。指標部材５１０は、窓フレーム５０３に対応する円形状を成す指標面５１１と、指標面５１１から放射方向へ伸延する３つの腕部５１２ａ、５１２ｂ、５１２ｃとによって構成される。３つの腕部５１２ａ、５１２ｂ、５１２ｃは、可撓性を有する。
【００３３】
３つの腕部５１２ａ、５１２ｂ、５１２ｃは、本体部５０１に対する装着部としての機能を担う。本体部５０１は、３つの腕部５１２ａ、５１２ｂ、５１２ｃに対応して、被装着部として機能する装着孔５０２ａ、５０２ｂ、５０２ｃを備える。具体的には、腕部５１２ａを装着孔５０２ａに、腕部５１２ｂを装着孔５０２ｂに、腕部５１２ｃを装着孔５０２ｃに貫通させる。そして、貫通させた腕部のそれぞれの先端部を折曲げて本体部５０１の表面（図２の例では、足９０２が載置される面とは反対側の面）に沿わせれば、指標部材５１０を本体部５０１に装着することができる。すなわち、腕部は、装着孔を貫通する貫通部と、装着孔を貫通した後に本体部５０１の表面に沿う先端側の延長部とを有し、貫通部で本体部５０１に対する位置決めを行い、延長部で指標部材５１０の装着を安定させている。
【００３４】
３つの装着孔５０２ａ、５０２ｂ、５０２ｃは、窓フレーム５０３の周囲に回転非対称な位置に配置されている。したがって、腕部５１２ａ、５１２ｂ、５１２ｃは、互いに対応付けられた組み合わせ以外の組み合わせでは、装着孔５０２ａ、５０２ｂ、５０２ｃに差し込めない。すなわち、ユーザは、指標部材５１０を本体部５０１に誤った向きで装着することがない。なお、装着孔５０２ａ、５０２ｂ、５０２ｃは、腕部５１２ａ、５１２ｂ、５１２ｃを安定的に支持できるのであれば、円孔であってもスリット孔であっても構わない。
【００３５】
また、窓フレーム５０３の窓孔５０３ａは、指標部材５１０の指標面５１１よりも小さい。このような関係においては、指標面５１１の外周部を窓フレーム５０３に載置することができるので、指標面５１１がより安定する。特に、後述するように指標面に対してペンで書き込みを行う場合に都合が良い。また、窓フレーム５０３に剥離可能な程度の粘着性を有する粘着剤を塗布すれば、指標面５１１を密着させて支持することができる。
【００３６】
なお、窓フレーム５０３を別部材として設けることなく、本体部５０１に直接的に窓孔５０３ａを設けても構わない。本体部５０１に直接的に窓孔５０３ａを設けるのであれば、部品点数を削減でき、製造コストを抑制できる。
【００３７】
図３は、指標部材５１０に対するマーキング作業を説明する図である。ユーザは、最初の使用時において、まず、新品の指標部材５１０を装着したカップソール５００を履いて、底板２１０に対するカップソール５００の位置調整を行う。上述のように、カップソール５００の裏面には面ファスナ５０９が貼着されているので、ユーザは、底板２１０の表面に貼着された面ファスナ２１２との間で着脱を何度か繰り返して、最適な位置を決定する。
【００３８】
そして、最適な位置を決定したら、カップソール５００を底板２１０に固定したまま足９０２を引き抜く。基準指標２１１は、いずれのユーザがカップソール５００の位置を調整しても、指標面５１１から少なくともその一部が視認される位置に設けられている。換言すると、指標面５１１および窓孔５０３ａは、いずれのユーザがカップソール５００の位置を調整しても、少なくとも基準指標２１１の一部を視認できる程度の大きさを有する。
【００３９】
次に、ユーザは、透明の指標面５１１上に、視認された基準指標２１１に沿ってペンＰでマーキングを行う。ペンＰによるマーキングは、図示するように基準指標２１１の外縁に重ねた直線でも良いし、内部を塗りつぶしても良い。いずれにしても、基準指標２１１との相対的な位置関係が明確になるような印を付ければ良い。マーキングはペンＰによる書き込みに限らず、シールの貼り付け等であっても構わない。すなわち、指標面に相対的な位置関係が指標として標示されるものであれば、いずれの態様であっても構わない。
【００４０】
図４は、マーキング後の指標部材５１０を説明する図である。指標面５１１に書き込まれた個人指標ＭＫは、ユーザ固有の指標である。したがって、ユーザあるいは管理者は、マーキングを施した指標部材５１０を、他のユーザのものと区別して管理する。もちろん、管理上の必要な事項を指標部材５１０に記録しても良い。例えば、バーコード等を予め印刷しておいて、どのユーザのものであるかをＰＣ等で管理しても良い。
【００４１】
なお、本実施形態において指標部材５１０は、上述のように、透明なプラスチック板によって成形されている。しかし、基準指標２１１に重ねてマーキング作業を行ったり、後述するように個人指標ＭＫと基準指標２１１を重ねる調整作業を行ったりできるのであれば、指標部材５１０は、指標面５１１を通して基準指標２１１を視認できる程度の透光性があれば良い。すなわち、指標面５１１は無色でなくても良く、また、腕部５１２ａ、５１２ｂ、５１２ｃは透光部材でなくても良い。指標面５１１と腕部５１２ａ、５１２ｂ、５１２ｃを別部材で形成してから一体化しても良い。
【００４２】
図５は、歩行補助装置１００の二回目以降の利用時における、調整作業を説明する図である。ユーザは、二回目以降の利用時には、まず、一回目にマーキング作業を行った自身の指標部材５１０を本体部５０１に装着してカップソール５００を完成させる。そして、指標面５１１の個人指標ＭＫと底板２１０の基準指標２１１とが重なるように、カップソール５００を底板２１０に載せる。この二段階の調整作業により、カップソール５００は、底板２１０に対して最適な位置で固定される。ユーザは、カップソール５００に足９０２を差し入れて、他の装着具を装着すれば、歩行補助装置１００の利用を開始できる。なお、カップソール５００について同じ種類で同じサイズの本体部５０１であれば、マーキング作業を行ったときの本体部５０１そのものでなくても、指標部材５１０を装着する対象として利用できる。
【００４３】
このように、二回目以降の利用においては、カップソール５００を底板２１０に対して最適な位置に調整する作業を、従来に比べて大幅に軽減できる。したがって、歩行補助装置１００を利用し始めるまでに要する時間を短縮できる。ひいては、歩行補助装置１００の利用に対するユーザの心理的な障壁を小さくでき、リハビリ等に対する意欲を向上させることができる。また、指標部材５１０のみをユーザ個々の専有物としたので、同じ足のサイズのユーザ間であればカップソール５００も共同利用することができる。このような共同利用形態により、共同利用に係るカップソール５００にユーザ個々の記録を直接的に残す必要がなくなる。また、小型で単純構造の指標部材５１０をユーザ個々の専有物とすれば良いので、歩行補助装置１００の運用に対する全体の管理費用や調達費用を抑制することができる。
【００４４】
なお、本実施例では、指標部材５１０の本体部５０１への装着において、指標面５１１を足９０２が載置される側の面（内面）に配置し、腕部の延長部を反対側の面（外面）に沿うようにした。しかし、指標面５１１を外面に沿うように配置して、延長部を内面側に導いても構わない。
【００４５】
次に、いくつかの他の実施例を説明する。以下の実施例においては、上述の実施例と異なる点を中心に説明する。上述の実施例と同様の構成については、特に言及しない限り説明を省略する。図６は、一つ目の他の実施例を説明する図である。本実施例における指標部材５２０は、中心部に嵌合孔５２２ａを有するベースプレート５２２と、嵌合孔５２２ａに嵌め込まれた透明プレート５２１とによって構成される。
【００４６】
透明プレート５２１は、上述の実施例における指標面５１１の機能を担い、例えば透明なプラスチックによって形成される。透明プレート５２１は、指標面５１１と同様にカップソール５００の窓孔５０３ａを覆う面積を有し、ユーザは、個人指標をマーキングすることができる。
【００４７】
ベースプレート５２２は、透明プレート５２１の周辺部分に、装着部としての嵌合孔５２２ａ、５２２ｂを有する。カップソール５００の本体部５０１のうち、足９０２が載置される載置面とは反対側の裏面側には、被装着部として突起５０４ａおよび５０４ｂが立設されている。すなわち、ユーザは、突起５０４ａに嵌合孔５２２ａを、突起５０４ｂに嵌合孔５２２ｂを嵌合させれば、指標部材５２０を本体部５０１に装着することができる。
【００４８】
なお、本体部５０１は、裏面側に指標部材５２０の外形形状に合わせた窪みを有しても良い。指標部材５２０を当該窪みに収容することで、ユーザの歩行に対する違和感を軽減することができる。また、窪みの形状と、突起および嵌合孔の配置位置とを回転非対称とすることにより、指標部材５２０を本体部５０１に誤った向きで装着することを防ぐことができる。
【００４９】
また、本体部の外面側に指標部材５２０を装着するので、指標部材５２０がユーザの足に直接触れることがない。このような構成は、特に他人が指標部材５２０を管理する場合などに、衛生面の観点や心理的負担の観点から有利である。
【００５０】
図７は、二つ目の他の実施例を説明する図である。これまでの実施例に係る指標部材５１０、５２０は、ユーザがカップソール５００を履いたときに足９０２の土踏まずが位置する付近に装着するものであった。指標部材５１０、５２０の装着により多少の凹凸が生じても、土踏まずの近傍であればユーザはそれほど違和感を覚えない。
【００５１】
二つ目の他の実施例に係るカップソール５００は、本体部５０１の外周部に指標部材５３０を装着する構成を有する。指標部材５３０が本体部５０１の外周部に装着されるのであれば、ユーザは、指標部材５３０の存在を知覚することがない。本実施例においては、指標部材５３０は、本体部５０１のつま先部分に装着される。
【００５２】
指標部材５３０は、本体部５０１のつま先の形状に倣う透明ブロック５３１と、本体部５０１のつま先に設けられた被装着部としての嵌合孔５０５ａ、５０５ｂへ嵌挿するための突起５３２ａ、５３２ｂとによって構成される。透明ブロック５３１は、上述の実施例における指標面５１１と同様の機能を担い、例えば透明なプラスチックによって形成される。ユーザは、透明ブロック５３１に個人指標をマーキングすることができる。
【００５３】
本体部５０１は、踵部分に外周方向へ突出する基準突片５０６を有する。基準突片５０６は、基準指標２１３の基準点２１３ａを一致させるための指標である。本実施例においては、基準指標２１３は、底板２１０の踵部分からつま先部分へ伸びる直線と、踵付近で当該直線に直交する直線とによって表されている。そのうち直交する点を基準点２１３ａとする。
【００５４】
図８は、指標部材５３０に対するマーキング作業を説明する図である。ユーザは、最初の使用時において、まず、新品の指標部材５３０を装着したカップソール５００を履いて、底板２１０に対するカップソール５００の位置調整を行う。最適な位置を決定するまでの作業は、最初の実施例と同様に試行錯誤により行う。ただし、本実施例においては、カップソール５００の踵に設けられた基準突片５０６を、基準指標２１３の基準点２１３ａに一致させる。
【００５５】
最適な位置を決定したら、ユーザは、透明ブロック５３１上に、視認された基準指標２１３の直線に沿ってペンＰでマーキングを行う。マーキングはペンＰによる書き込みに限らず、シールの貼り付け等であっても構わない。すなわち、透明ブロック５３１上に相対的な位置関係が指標として標示されるものであれば、いずれの態様であっても構わない。この場合、ユーザは、足９０２をカップソール５００から引き抜かなくてもマーキング作業を行うことができる。
【００５６】
二回目以降の利用においては、指標部材５３０を本体部５０１に装着した後は、基準突片５０６を基準点２１３ａに一致させ、透明ブロック５３１の個人指標を基準指標２１３の直線と一致させれば、位置調整作業が完了する。なお、図７および図８の実施例は、基準突片５０６を一致させる基準点２１３ａを一つとしたので、底板２１０に対するカップソール５００の回転方向の位置のみを調整できる構成である。しかし、底板２１０の基準点を複数設けて、どの基準点で一回目の位置調整作業を行ったかを透明ブロック５３１に併せて記録しておけば、底板２１０に対して前後方向、左右方向の位置調整にも対応できる。
【００５７】
以上説明した各実施例においては、装着部と被装着部の構成として、腕部と孔、嵌合孔と突起の組み合わせを説明したが、装着部と被装着部の構成は、これらの例に限らない。より強固に固定するのであればネジとネジ穴の組み合わせでも良いし、より簡単に着脱できるようにするのであれば凹凸のスナップを利用することもできる。
【符号の説明】
【００５８】
１００  歩行補助装置、１１０、１２０  下腿フレーム、２００  足裏フレーム、２１０  底板、２１１、２１３  基準指標、２１２、５０９  面ファスナ、２１３ａ  基準点、２２０  側板、３１０、３２０  関節機構、５００  カップソール、５０１  本体部、５０２ａ、５０２ｂ、５０２ｃ  装着孔、５０３  窓フレーム、５０３ａ  窓孔、５０４ａ、５０４ｂ  突起、５０５ａ、５０５ｂ  嵌合孔、５０６  基準突片、５１０、５２０、５３０  指標部材、５１１  指標面、５１２ａ、５１２ｂ、５１２ｃ  腕部、５２１  透明プレート、５２２  ベースプレート、５２２ａ、５２２ｂ  嵌合孔、５３１  透明ブロック、５３２ａ、５３２ｂ  突起、９０１  下腿、９０２  足、９０３  足関節
【図１】
2018175241.tif 000003
【図２】
2018175241.tif 000004
【図３】
2018175241.tif 000005
【図４】
2018175241.tif 000006
【図５】
2018175241.tif 000007
【図６】
2018175241.tif 000008
【図７】
2018175241.tif 000009
【図８】
2018175241.tif 000010